(57)【特許請求の範囲】
【請求項１】
ばねおよびモジュール保持部材を有する器具本体と、前記ばねに押し付けられて前記モジュール保持部材に係合する嵌合部または切欠き部を有するとともに表面部に給電端子部を有するＬＥＤモジュールとを備え、前記モジュール保持部材は前記ＬＥＤモジュールと接触する部分に電気的に接続する接続部を有する照明器具。
【請求項２】
前記ＬＥＤモジュールの前記嵌合部は大径部と小径部からなる一対のだるま形孔であり、前記給電端子部を前記小径部の端部に有し、前記モジュール保持部材は前記大径部に挿通可能であり前記小径部に係止可能な頭部を有し、前記接続部は前記給電端子部に接触可能であり、前記ばねは前記ＬＥＤモジュールの前記小径部が前記頭部に係合する方向に付勢する請求項１記載の照明器具。
【請求項３】
前記ＬＥＤモジュールは嵌合部または切欠き部の縁部に給電端子部を有し、前記モジュール保持部材は前記器具本体に突設されて前記嵌合部または前記切欠き部を貫通したときその縁部に抜け止め係止する係止爪を有し、前記接続部は前記給電端子部に接触し、前記ばねは前記係止爪が前記嵌合孔または前記切欠き部によって係止される方向に付勢する請求項１記載の照明器具。
【請求項４】
前記係止爪は前記給電端子部に係止し、前記接続部は前記係止爪の係止面に形成されている請求項３記載の照明器具。
【請求項５】
係止爪を導電性の板ばねを折曲することにより形成した請求項３記載の照明器具。
【発明の詳細な説明】
【０００１】
【発明の属する技術分野】
この発明は、ＬＥＤ素子を有する照明器具に関するものである。
【０００２】
【従来の技術】
ＬＥＤチップを複数含むＬＥＤモジュールと、このＬＥＤモジュールに電力を供給するＬＥＤ電源供給部と、ＬＥＤチップの前方に配置されるレンズを含むレンズ体を備えたＬＥＤ照明器具があった。
【０００３】
【発明が解決しようとする課題】
これまで、ＬＥＤチップは小型であるなどの特徴を生かして、表示用などの補助的な光源としてのみ使用されてきた。高照度を要求されない補助的な光源としての使われ方では長寿命であり、ほぼ器具寿命までＬＥＤの交換の必要は無かった。
【０００４】
しかし、高照度な主光源として使われる場合では、点灯期間により照度が低下するため、交換する必要がある。
【０００５】
ところが、これまでのＬＥＤモジュールの取付けは、半田付けにより直接電線を取付ける手段が主力であった。
【０００６】
また従来のランプの口金と受け金を流用した手段では、ＬＥＤモジュール全体が長大になり、ＬＥＤの長所である、小型・薄型の利点が生かされない。
【０００７】
したがって、この発明の目的は、容易に交換可能で大型化しないＬＥＤモジュールを使った照明器具を提供することである。
【０００８】
【課題を解決するための手段】
請求項１記載の照明器具は、ばねおよびモジュール保持部材を有する器具本体と、前記ばねに押し付けられて前記モジュール保持部材に係合する嵌合部または切欠き部を有するとともに表面部に給電端子部を有するＬＥＤモジュールとを備え、前記モジュール保持部材は前記ＬＥＤモジュールと接触する部分に電気的に接続する接続部を有するものである。
【０００９】
請求項１記載の照明器具によれば、電気的接続と機械的接続を同じ部位にて同時に行うため、大型化することなくＬＥＤモジュールの着脱操作が容易になる。
【００１０】
請求項２記載の照明器具は、請求項１において、前記ＬＥＤモジュールの前記嵌合部は大径部と小径部からなる一対のだるま形孔であり、前記給電端子部を前記小径部の端部に有し、前記モジュール保持部材は前記大径部に挿通可能であり前記小径部に係止可能な頭部を有し、前記接続部は前記給電端子部に接触可能であり、前記ばねは前記ＬＥＤモジュールの前記小径部が前記頭部に係合する方向に付勢するものである。
【００１１】
請求項２記載の照明器具によれば、請求項１と同様な効果がある。
【００１２】
請求項３記載の照明器具は、請求項１において、前記ＬＥＤモジュールは嵌合部または切欠き部の縁部に給電端子部を有し、前記モジュール保持部材は前記器具本体に突設されて前記嵌合部または前記切欠き部を貫通したときその縁部に抜け止め係止する係止爪を有し、前記接続部は前記給電端子部に接触し、前記ばねは前記係止爪が前記嵌合孔または前記切欠き部によって係止される方向に付勢するものである。
【００１３】
請求項３記載の照明器具によれば、請求項１と同様な効果がある。
【００１４】
請求項４記載の照明器具は、請求項３において、前記係止爪が前記給電端子部に係止し、前記接続部は前記係止爪の係止面に形成されているものである。
【００１５】
請求項４記載の照明器具によれば、請求項３と同様な効果がある。
【００１６】
請求項５記載の照明器具は、請求項３において、係止爪を導電性の板ばねを折曲することにより形成したものである。
【００１７】
請求項５記載の照明器具によれば、請求項３と同様な効果がある。
【００１８】
【発明の実施の形態】
この発明の第１の実施の形態を図１から図６により説明する。すなわち、この照明器具は、ＬＥＤモジュール１と、器具本体２を有する。
【００１９】
ＬＥＤモジュール１は、給電端子部３を有して複数のＬＥＤチップ４を搭載している。実施の形態では略平板状で円板形をなしている。
【００２０】
器具本体２は、ＬＥＤモジュール１を着脱自在に保持するモジュール保持部材５を有し、給電端子部３に接続する接続部１０をモジュール保持部材５に設けている。
【００２１】
すなわち、モジュール保持部材５は引掛けスワン型式でＬＥＤモジュール１を保持するものである。実施の形態ではＬＥＤモジュール１の中心に対する対称位置にだるま形穴６を形成し、その小径部６ａの端部に給電端子部３を導電体により形成している。またモジュール保持部材５はだるま形穴６の大径部６ｂに貫通し小径部６ａに係止する頭部を有するピンである。またモジュール保持部材５に並設されてＬＥＤモジュール１を器具本体２から外れる方向に押圧するばね７例えばコイルばねを設けている。
【００２２】
実施の形態の器具本体２は、前面にＬＥＤモジュール１を収容する内径をもつ周壁８を有し、周壁８の内側にモジュール保持部材５およびばね７を設けている。器具本体２の後面には小筒部９を設けている。モジュール保持部材５は導電体により形成して接続部１０を兼用している。この接続部１０はリード線等により電源に接続され、給電端子部３は各ＬＥＤチップ４に接続される。
【００２３】
組み立ては、図１に示すようにＬＥＤモジュール１を器具本体２に対向し、矢印のようにだるま形穴６の大径部６ｂをモジュール保持部材５の頭部に貫通した後、一点鎖線の矢印で示すように回動して図２および図３に示すようにモジュール保持部材５を小径部６ａに通し給電端子部３に電気接触する。このときばね７のばね力でモジュール保持部材５の大径部６ｂに強く係止し、図４に示すように接続部１０と給電端子部３が密接し、これによりＬＥＤモジュール１の器具本体２への機械的保持と電気的接続が同時に行われる。ＬＥＤモジュール１を外すときはＬＥＤモジュール１を上記と逆に回転するとモジュール保持部材５の頭部が大径部６ｂに位置したところでばね力によりＬＥＤモジュール１が器具本体２から浮き上がる。
【００２４】
図５および図６はこの照明器具の全体を示し、１１はＬＥＤチップ４の前面に位置するレンズ１２を保持したレンズ体であり、器具本体２に嵌合する。１３はレンズ体１１の周縁を押さえて器具本体２に取付けられるカバーである。
【００２５】
なお、ピンにより形成したモジュール保持部材５の位置は器具本体２の周辺部であったが、器具本体２の中央部に設けてもよい。この場合ＬＥＤモジュール１のだるま形穴も中央部に設けられる。
【００２６】
この実施の形態によれば、電気的接続と機械的接続を同じ部位にて同時に行うため、大型化することなくＬＥＤモジュール１の着脱操作が容易になる。また交換を行うＬＥＤモジュール１には形状の簡単な穴を設けるだけであるため、ＬＥＤモジュール１を安価に製造でき、器具全体としてコスト的に有利である。またＬＥＤモジュール１には取付のための追加部品がないため、小型化および薄型にできる。
【００２７】
この発明の第２の実施の形態を図７から図９により説明する。第１の実施の形態と比べて機械的電気的な保持構造が異なる。すなわち、モジュール保持部材５はＬＥＤモジュール１に係止する係止爪により形成している。このモジュール保持部材５は器具本体２の中央部に一対互いに反対向きに設けている。ＬＥＤモジュール１はモジュール保持部材５が引っ掛かる嵌合孔１１'をモジュール保持部材５に対応して中央部に一対形成し、嵌合孔１１'の孔内面および前面に導電部を形成することにより給電端子部３を形成し、接続部１０はモジュール保持部材５が成形品により形成される場合にはその係止面５ａおよび側面５ｂに連続して一体に形成されている。またＬＥＤモジュール１を保持するばね７はコイルばねに代えて板ばねを用いている。板ばねは略くの字に折曲し、一端を折り返して器具本体２の前面に取付けている。
【００２８】
ＬＥＤモジュール１の取付けは、嵌合孔１１'をモジュール保持部材５である係止爪に通すことにより係止爪が撓んで爪先がＬＥＤモジュール１の前面に引っ掛かる。係止爪の復元弾力によって側面５ｂの接続部１０が給電端子部３に電気接触するとともに、ＬＥＤモジュール１がばね７に押されてＬＥＤモジュール１を係止爪に強く係止させることにより、機械的保持の強化とともに係止面５ａの接続部１０が給電端子部３に強く電気接触する。したがってＬＥＤモジュール１を係止爪に対して押し込むだけで機械的電気的接続が可能となる。ＬＥＤモジュール１を外すときは一対の係止爪の爪頭部間をつまむように狭めて嵌合孔１１'から係止を外すことによりばね力でＬＥＤモジュール１を浮き出すことができる。
【００２９】
１２'は接続部１０に接続される接続電線である。
【００３０】
なお、図９（ｂ）は係止爪を板ばねを折曲することにより形成している変形の実施の形態である。
【００３１】
この発明の第３の実施の形態を図１０および図１１により説明する。第２の実施の形態と比較してモジュール保持部材５である係止爪が器具本体２の周辺部の中心に対する対称位置に相対向して設けられ、ＬＥＤモジュール１の周縁に嵌合孔１１'に対応して係止爪が引っ掛かる嵌合切欠き部１２を形成している。給電端子部３が切欠き部１２に形成され、接続部１０が係止爪に形成されるほか、その他は第２の実施の形態と同様である。
【００３２】
なお、第２の実施の形態および第３の実施の形態において、接続部１０がモジュール保持部材５である係止爪の係止面および側面の双方に形成されているが、いずれか一方でもよい。また、係止爪は樹脂成形品により形成するほか、金属のダイキャスト品で形成されてもよい。
【００３３】
【発明の効果】
請求項１記載の照明器具によれば、電気的接続と機械的接続を同じ部位にて同時に行うため、大型化することなくＬＥＤモジュールの着脱操作が容易になる。
【００３４】
請求項２記載の照明器具によれば、請求項１と同様な効果がある。
【００３５】
請求項３記載の照明器具によれば、請求項１と同様な効果がある。
【００３６】
請求項４記載の照明器具によれば、請求項３と同様な効果がある。
【００３７】
請求項５記載の照明器具によれば、請求項３と同様な効果がある。
【図面の簡単な説明】
【図１】この発明の第１の実施の形態の分解斜視図である。
【図２】ＬＥＤモジュールを取付けた状態の断面図である。
【図３】その斜視図である。
【図４】そのＬＥＤモジュールの取付部分の拡大図である。
【図５】照明器具の全体の分解斜視図である。
【図６】その組み立て状態の斜視図である。
【図７】この発明の第２の実施の形態の分解斜視図である。
【図８】ＬＥＤモジュールを取付けた状態の断面図である。
【図９】（ａ）はＬＥＤモジュールの取付部分の拡大図、（ｂ）は係止爪を板ばねで形成した場合の部分断面図である。
【図１０】この発明の第３の実施の形態の分解斜視図である。
【図１１】ＬＥＤモジュールを取付けた状態の断面図である。
【符号の説明】
１    ＬＥＤモジュール
２    器具本体
３    給電端子部
４    ＬＥＤチップ
５    モジュール保持部材
５ａ    係止面
５ｂ    側面
６    だるま形穴
７    ばね
１０    接続部
【図１】
0003928385.tif 000002
【図２】
0003928385.tif 000003
【図３】
0003928385.tif 000004
【図４】
0003928385.tif 000005
【図５】
0003928385.tif 000006
【図６】
0003928385.tif 000007
【図７】
0003928385.tif 000008
【図８】
0003928385.tif 000009
【図９】
0003928385.tif 000010
【図１０】
0003928385.tif 000011
【図１１】
0003928385.tif 000012